(57)【要約】【課題】グリップ部を把持して体の安定を確保しつつ操作対象部を操作可能な主変速レバーを有したコンバインを提供する。【解決手段】主変速レバー２５は運転座席の機体左斜め前方に位置していると共に、上方へと延びるレバー軸部３０の上端部からは、グリップ部３１がレバー軸部３０とは交差する方向に延設されている。それにより主変速レバー２５は正面視略々Ｌ字形状をしていると共に、レバー軸部３０とグリップ部３１との間には機体前後方向に水平に延びた回動軸３６が設けられている。グリップ部３１は回動軸３６を中心として上下に揺動可能に構成され、操縦者はグリップ部３１を把持しつつ上方へ揺動させることにより、扱ぎ深さ搬送装置を上昇させ、下方へ揺動させることにより扱ぎ深さ搬送装置を下降させる。【選択図】図４
2009171844.tif 000002
【特許請求の範囲】
【請求項１】
走行装置によって支持された走行機体に運転操作部を配置し、該運転操作部に設けられた変速レバーによって前記走行機体を変速操作するコンバインにおいて、
前記変速レバーは、レバー軸部と、該レバー軸部の上端に前後方向に略々水平に延びる回動軸により上下方向に揺動自在に設けられたグリップ部とを有し、
前記グリップ部を上下に揺動させることによって、操作対象部を操作するように構成した、
ことを特徴とするコンバイン。
【請求項２】
前記グリップ部を前記レバー軸部に対して交差する方向に延設し、
前記レバー軸部及び前記グリップ部とで略々Ｌ字状の前記変速レバーを構成した、
請求項１記載のコンバイン。
【発明の詳細な説明】
【技術分野】
【０００１】
本発明は、走行装置に支持された走行機体を備えたコンバインに関し、詳しくは走行機体を変速操作する変速レバーに関する。
【背景技術】
【０００２】
従来、走行装置（クローラ走行装置）に支持された走行機体を運転操作部（運転席）に配置された変速レバー（主変速レバー）によって変速操作するコンバインが案出されている（特許文献１参照）。
【０００３】
上記変速レバーは、運転座席の側方において上方へと延びるレバー軸部の上端に機体左右幅方向に短く形成されたグリップ部が取り付けられており、該グリップ部の下方に配設された複数のスイッチにより、扱ぎ深さ、倒伏刈りなどの操作が可能に構成されている。
【０００４】
【特許文献１】特開２００５−５８１５８号公報
【発明の開示】
【発明が解決しようとする課題】
【０００５】
一般にコンバインにより収穫作業を行う場合、操縦者は変速レバーのグリップ部を握って体の安定を確保しているが、上記特許文献１記載のコンバインは変速レバーのグリップ部の下方に操作スイッチが配設されており、操縦者は体を支えているグリップ部から手を緩めて上記スイッチにより扱ぎ深さ搬送体などの操作対象部を操作する必要があった。
【０００６】
特にコンバインの操縦者は収穫作業中に運転座席から立ち上がって圃場前方の穀稈の倒伏状態や、穀稈の刈取り及び搬送状況を確認することがあり、グリップ部を常に握って体の安定を確保しておきたいという要望があると共に、操縦者は穀稈の状態を目視しながら上記操作を行うため、左右に並設されたスイッチを押し間違えて誤操作をしてしまうこともあった。
【０００７】
そこで本発明は、変速レバーのグリップ部をレバー軸部に対して上下方向に揺動自在に設け、該グリップ部の揺動によって操作対象部を昇降操作可能にすることにより、上記課題を解決したコンバインを提供することを目的とする。
【課題を解決するための手段】
【０００８】
請求項１に係る発明は、走行装置（３）によって支持された走行機体（２）に運転操作部（９）を配置し、該運転操作部（９）に設けられた変速レバー（２５）によって前記走行機体（２）を変速操作するコンバイン（１）において、
前記変速レバー（２５）は、レバー軸部（３０）と、該レバー軸部（３０）の上端に前後方向に略々水平に延びる回動軸（３６）により上下方向に揺動自在に設けられたグリップ部（３１）とを有し、
前記グリップ部（３１）を上下に揺動させることによって、操作対象部（３７）を操作するように構成した、
ことを特徴とするコンバイン（１）にある。
【０００９】
請求項２に係る発明は、前記グリップ部（３１）を前記レバー軸部（３０）に対して交差する方向に延設し、
前記レバー軸部（３０）及び前記グリップ部（３１）とで略々Ｌ字状の前記変速レバー（２５）を構成した、
請求項１記載のコンバインにある。
【００１０】
なお、括弧内の符号等は、図面と対照するためのものであるが、これにより特許請求の範囲に何等影響を及ぼすものではない。
【発明の効果】
【００１１】
請求項１に係る発明によると、変速レバーのレバー軸部とグリップ部との間に回動軸を設け、該回動軸を中心としてグリップ部を上下に揺動させて操作対象部を昇降操作することによって、操縦者は変速レバーのグリップ部から手を離さずに操作対象部を操作することができ、とっさの揺れに対しても変速レバーのグリップ部をしっかりと握って体の安定を保つことができる。また、グリップ部の上下の揺動により操作対象部（例えば扱ぎ深さ搬送装置）を操作するため、操縦者は穀稈の状況などを目視しながらでも確実に操作対象部を操作することができる。
【００１２】
請求項２に係る発明によると、変速レバーをＬ字状に構成することにより、操縦者はどのような姿勢においても容易にグリップ部を把持することができ、しっかりと体の安定を確保して安心して作業を行うことができる。
【発明を実施するための最良の形態】
【００１３】
以下に本発明の実施の形態に係るコンバインについて、図面に基づいて説明をする。
【００１４】
図１及び図２に示すように、コンバイン１は、左右一対のクローラ走行装置（走行装置）３に支持された走行機体２を有しており、該走行機体２の前方には圃場の穀稈を引起し装置６により引起しつつ刈取ると共に、これら刈取られた穀稈をその後方に配設された脱穀部７へと搬送する前処理部５が昇降自在に設けられている。
【００１５】
上記前処理部５の側方には運転操作部９が設けられており、その後方かつ上記脱穀部７の側方には、脱穀された穀粒を一時的に貯留するグレンタンク１０が設けられている。また、グレンタンク１０に貯留された穀粒は排出オーガ１１によって排出され、排藁は脱穀部７の後方に設けられた後処理部１２によって処理されるように構成されている。
【００１６】
図３に示すように、上記運転操作部９の中央には操縦者が着座する運転座席１３が配置されており、その前方にはエンジン１５（図２参照）を始動させるイグニッションキー１６が設けられている。該イグニッションキー１６の機体右側方には機体の左右旋回及び上記前処理部５の昇降を操作するマルチステアリングレバー１７が設けられ、その機体左側には前処理部５の下限高さを任意の位置に決めて刈高さを調節すると共に、刈高さダイヤル１９、走行機体２の左右の車高を調節して機体の水平を操作する水平手動クロスレバー２０が設けられている。また、上記刈高さダイヤル１９は、リフトシャットスイッチとしても構成されており、押し操作をすることによって、作業機クラッチ・刈取りクラッチが接続状態において前処理部５が上昇位置にある場合、穀稈の刈取り及び搬送作業を停止させることができる。
【００１７】
更に、上記運転座席１３の側方には、作業機・刈取りクラッチレバー２２の他に、エンジンの回転数を調整するエンジンコントロールレバー２３、機体を変速操作する主変速レバー２５、作業目的や刈取り条件により変速操作する副変速レバー２６及びこぎ深さ自動スイッチなどの各種自動スイッチ群２７が設けられている。
【００１８】
上記主変速レバー２５は、運転座席１３の機体進行方向左斜め前方に位置しており、操縦者が運転座席１３に着座した着座姿勢でも、運転座席１３前方のステップ２９に起立した起立姿勢でも手元にて操作できると共に、レバーガイド２５ａに沿って前後に傾倒（揺動）可能であり上方へと延びたレバー軸部３０に対して、グリップ部３１が運転座席１３側へと交差する方向に延設されており、全体として正面視略々Ｌ字形状をしている（図４参照）。
【００１９】
図４乃至図６に示すように、上記グリップ部３１は断面略々楕円状に扁平した形状をしていると共に、レバー軸部３０の上端から機体左右方向に水平に長く延びており、その横幅方向略々全長に亘って、前処理部５及び脱穀フィードチェーン３２の駆動速度を上げて倒伏した穀稈の刈取りをスムーズに行う倒伏刈スイッチ（操作スイッチ）３３が設けられている。また、グリップ部３１の先端には走行機体２が停止もしくは後進している状態でもスイッチを押している間だけ前処理部５及び脱穀フィードチェーン３２を駆動させる強制掻き込みスイッチ３５が設けられている。
【００２０】
上記倒伏刈スイッチ３３は、グリップ部３１の機体左右幅方向と略々同じ長さの横幅Ｌを有すると共に、その縦幅方向もグリップ部３１の前面から下方に亘って長く形成されており、略々長方形状をしている。そのため、図６に示すように、操縦者が主変速レバー２５のグリップ部３１を把持すると、グリップ部３１を把持しているどの指にも倒伏刈スイッチ３３が接触すると共に、図７に示すように操縦者が着座姿勢の場合にはスイッチの前方側が操縦者の各指と接触し、図８に示すように操縦者が起立姿勢の場合はスイッチの下側が操縦者の各指と接触するように構成されている。
【００２１】
また、上記レバー軸部３０の上端部とグリップ部３１との間には、機体前後方向に水平に延びた回動軸３６が介在しており、該回動軸３６を中心としてグリップ部３１は機体上下方向に揺動可能に構成されている。上記グリップ部３１はその揺動によって前処理部５の扱ぎ深さ搬送装置（操作対象部）３７を昇降操作可能に構成されており、図４に示すように、該グリップ部３１を中立位置Ａから上昇位置Ｂまで上方へ揺動させると扱ぎ深さ搬送装置３７が上昇して扱ぎ深さが深くなり、中立位置Ａから下降位置Ｃまで下方へ揺動させると扱ぎ深さ搬送装置３７が下降して扱ぎ深さが浅くなる。
【００２２】
なお、上記回動軸３６はストッパ及びクリック機構等により、グリップ部３１を中立位置Ａの他に所定位置Ｂ，Ｃで停止（固定）するように構成してもよく、また、グリップ部３１の上下揺動によって、扱ぎ深さ搬送装置３７ではなく、走行機体２の水平操作、前処理部５の昇降など、他の機体可動部を操作しても良い。
【００２３】
次に本実施の形態に係るコンバイン１の作用について説明をする。
【００２４】
操縦者は、運転操作部９に乗り込んで運転座席１３に着座すると、イグニッションキー１６を回してエンジンを始動させると共に、主変速レバー２５を操作して走行機体２を前進させて収穫作業を開始する。収穫作業中、操縦者は主変速レバー２５のグリップ部３１を把持し、体の安定を確保して運転座席１３から時々立ち上がり、前方の穀稈の状態や、穀稈の刈取り及び搬送状況を確認する。
【００２５】
操縦者は前方の穀稈が倒伏していると、グリップ部３１を握りながら任意の指で倒伏刈スイッチ３３を押し、前処理部５及び脱穀フィードチェーン３２の駆動速度を上げて円滑に収穫作業を進めていく。この時、上記倒伏刈スイッチ３３は、操縦者が着座姿勢の場合はその前方部が押され、起立姿勢の場合はその下方部が押される。また、作業者は穀稈の長さに合わせて、グリップ部３１を上方に揺動させて扱ぎ深さを深くしたり、グリップ部３１を下方に揺動させて扱ぎ深さを浅くしたりする。
【００２６】
操縦者は、上記操作中でもグリップ部３１を把持して体の安定を確保し、走行性の悪い圃場面において不意の揺れにも対応しながら、収穫作業を進める。
【００２７】
上記のようにコンバイン１を構成したことによって、グリップ部３１の上下の揺動により扱ぎ深さ搬送装置３７を昇降操作することができる。そのため、作業者はグリップ部３１から手を離さずに穀稈の扱ぎ深さを調整することができ、起立姿勢においても体の安定を常に確保することができる。また、グリップ部３１の上下の揺動と、扱ぎ深さ搬送装置３７の昇降とを対応させることによって、操縦者は感覚的に扱ぎ深さ搬送装置３７の昇降操作を行うことができ、操作ミスを減少させることができる。
【００２８】
更に、倒伏刈スイッチ３３をグリップ部３１の横幅方向略々全長かつ、その前面側から下方側に亘って形成したことによって、操縦者は任意の指で倒伏刈スイッチ３３を操作することができ、どのような人であっても容易にスイッチ操作をすることができる。また、着座姿勢から起立姿勢へ、もしくは起立姿勢から着座姿勢へと姿勢変更して指と倒伏刈スイッチ３３の相対的な位置関係が上下もしくは左右方向に変化しても、常に各指の届く位置に倒伏刈スイッチ３３があり、着座姿勢及び起立姿勢のどちらでも容易にその操作をすることができる。
【００２９】
更に、レバー軸部３０から運転座席１３側へと交差する方向にグリップ部３１を延設し、主変速レバー２５全体として略々Ｌ字状に形成したことによってグリップ部３１が握りやすい形状となり、該グリップ部３１を容易に把持して体を支えることができる。
【図面の簡単な説明】
【００３０】
【図１】本発明の実施の形態に係るコンバインの左斜視図。
【図２】本発明の実施の形態に係るコンバインの右斜視図。
【図３】本発明の実施の形態に係る運転操作部の平面図。
【図４】本発明の実施の形態に係る主変速レバーの正面図。
【図５】本発明の実施の形態に係る主変速レバーの右側面図。
【図６】本発明の実施の形態に係る主変速レバーの斜視図。
【図７】本発明の実施の形態に係る主変速レバーを着座姿勢の操縦者が握っている状態を示す右側面図。
【図８】本発明の実施の形態に係る主変速レバーを起立姿勢の操縦者が握っている状態を示す右側面図。
【符号の説明】
【００３１】
１    コンバイン
２    走行機体
３    クローラ走行装置（走行装置）
９    運転操作部
２５  変速レバー
３０  レバー軸部
３１  グリップ部
３６  回動軸
３７  扱ぎ深さ搬送装置（操作対象部）
【図１】
2009171844.tif 000003
【図２】
2009171844.tif 000004
【図３】
2009171844.tif 000005
【図４】
2009171844.tif 000006
【図５】
2009171844.tif 000007
【図６】
2009171844.tif 000008
【図７】
2009171844.tif 000009
【図８】
2009171844.tif 000010